【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】 
音声情報又は映像情報の少なくともいずれか一方を含んで構成されるＡＶ情報を蓄積する蓄積手段と、
前記蓄積されているＡＶ情報の少なくとも一部を抽象化し、当該ＡＶ情報の内容を示す抽象化情報を生成する生成手段と、
前記生成された抽象化情報を、当該抽象化情報により示される内容を有する前記ＡＶ情報と共に配信する配信手段と、を備えることを特徴とするＡＶ情報配信装置。
【請求項２】
請求項１に記載のＡＶ情報配信装置において、前記抽象化手段は、前記音声情報に含まれる音声又は音を示すデータ列を前記抽象化情報として生成することを特徴とするＡＶ情報配信装置。
【請求項３】
請求項１又は２に記載のＡＶ情報配信装置において、前記抽象化手段は、前記映像情報を特徴付ける波形を有するパターンデータを前記抽象化情報として生成することを特徴とするＡＶ情報配信装置。
【請求項４】
請求項１から３のいずれか一項に記載のＡＶ情報配信装置により前記抽象化情報と共に配信された前記ＡＶ情報を、検索キー情報を用いて検索するＡＶ情報検索装置であって、
前記配信された抽象化情報及びＡＶ情報を取得する取得手段と、
前記検索キー情報を入力するための入力手段と、
前記入力された検索キー情報を抽象化し、抽象化キー情報を生成する抽象化手段と、
前記生成された抽象化キー情報に類似する前記配信された抽象化情報を検索する検索手段と、を備えることを特徴とするＡＶ情報検索装置。
【請求項５】
請求項４に記載のＡＶ情報検索装置において、前記検索手段により検索された前記抽象化情報に対応する前記ＡＶ情報を、前記検索キー情報に対応付けられた前記ＡＶ情報として出力する出力手段を更に備えることを特徴とするＡＶ情報検索装置。
【請求項６】
請求項４又は５に記載のＡＶ情報検索装置において、前記検索手段における検索結果に基づいて生成された検索結果情報を、前記ＡＶ情報配信装置に返信する返信手段を更に備えることを特徴とするＡＶ情報検索装置。
【請求項７】
音声情報又は映像情報の少なくともいずれか一方を含んで構成されるＡＶ情報の少なくとも一部を抽象化し、当該ＡＶ情報の内容を示す抽象化情報を生成する生成工程と、
前記生成された抽象化情報を、当該抽象化情報により示される内容を有する前記ＡＶ情報と共に配信する配信工程と、を備えることを特徴とするＡＶ情報配信方法。
【請求項８】
請求項７に記載のＡＶ情報配信方法において蓄積された前記ＡＶ情報を、データベース検索情報を用いて検索するＡＶ情報検索方法であって、
前記データベース検索情報を入力するための入力工程と、
前記入力されたデータベース検索情報を用いて前記データベース内を検索し、当該入力されたデータベース検索情報に対応する前記ＡＶ情報を検索する検索工程と、
前記検索されたＡＶ情報を当該データベース検索情報に対応する前記ＡＶ情報として出力する出力工程と、を備えることを特徴とするＡＶ情報検索方法。
【手続補正２】
【補正対象書類名】明細書
【補正対象項目名】００１６
【補正方法】変更
【補正の内容】
【００１６】
また、上記の課題を解決するために、前記配信手段は、前記生成された抽象化情報を、当該抽象化情報により示される内容を有する前記ＡＶ情報を含んで構成される情報単位とは別個の情報単位内に含ませて配信するように構成されてもよい。
【手続補正３】
【補正対象書類名】明細書
【補正対象項目名】００１８
【補正方法】変更
【補正の内容】
【００１８】
また、上記の課題を解決するために、前記配信手段は、前記生成された抽象化情報により示される内容を有する前記ＡＶ情報を含んで構成される情報単位の一部を、当該抽象化情報により置換して配信するように構成されてもよい。
【手続補正４】
【補正対象書類名】明細書
【補正対象項目名】００２０
【補正方法】変更
【補正の内容】
【００２０】
また、上記の課題を解決するために、前記配信手段は、前記生成された抽象化情報により示される内容を有する前記ＡＶ情報を含んで構成される情報単位における前記映像情報内に当該抽象化情報を埋め込んで配信するように構成されてもよい。
【手続補正５】
【補正対象書類名】明細書
【補正対象項目名】００２２
【補正方法】変更
【補正の内容】
【００２２】
また、上記の課題を解決するために、前記配信手段は、前記生成された抽象化情報により示される内容を有する前記ＡＶ情報を含んで構成される情報単位に含まれる前記映像情報における有効表示範囲外に当該抽象化情報を含ませて配信するように構成されてもよい。
【手続補正６】
【補正対象書類名】明細書
【補正対象項目名】００２４
【補正方法】変更
【補正の内容】
【００２４】
上記の課題を解決するために、請求項４に記載の発明は、請求項１から３のいずれか一項に記載のＡＶ情報配信装置により前記抽象化情報と共に配信された前記ＡＶ情報を、検索キー情報を用いて検索するＡＶ情報検索装置であって、前記配信された抽象化情報及びＡＶ情報を取得するモデム等の取得手段と、前記検索キー情報を入力するための入力手段と、前記入力された検索キー情報を抽象化し、抽象化キー情報を生成する抽象化データ生成部等の抽象化手段と、前記生成された抽象化キー情報に類似する前記配信された抽象化情報を検索するＣＰＵ等の検索手段と、を備える。
【手続補正７】
【補正対象書類名】明細書
【補正対象項目名】００２７
【補正方法】変更
【補正の内容】
【００２７】
上記の課題を解決するために、請求項５に記載の発明は、請求項４に記載のＡＶ情報検索装置において、前記検索手段により検索された前記抽象化情報に対応する前記ＡＶ情報を、前記検索キー情報に対応付けられた前記ＡＶ情報として出力するディスプレイ等の出力手段を更に備える。
【手続補正８】
【補正対象書類名】明細書
【補正対象項目名】００２８
【補正方法】変更
【補正の内容】
【００２８】
よって、配信元で生成された精度の良い抽象化情報によりＡＶ情報を検索し、更にその検索結果の各々を配信先において使用者が容易に確認できるので、たとえ検索結果に不適切な結果が含まれたとしても、使用者の判断によりそれを除去することができる。
【手続補正９】
【補正対象書類名】明細書
【補正対象項目名】００２９
【補正方法】変更
【補正の内容】
【００２９】
上記の課題を解決するために、請求項６に記載の発明は、請求項４又は５に記載のＡＶ情報検索装置において、前記検索手段における検索結果に基づいて生成された検索結果情報を、前記ＡＶ情報配信装置に返信するＣＰＵ等の返信手段を更に備える。
【手続補正１０】
【補正対象書類名】明細書
【補正対象項目名】００３１
【補正方法】変更
【補正の内容】
【００３１】
また、上記の課題を解決するために、上記に記載のＡＶ情報検索装置において、前記検索結果情報は、前記検索キー情報と、前記検索手段によって当該検索キー情報に類似するとされた前記抽象化情報及び当該抽象化情報に対応する前記ＡＶ情報を少なくとも含むコンテンツを特定するためのコンテンツ識別データと、当該コンテンツにおける前記検索キー情報に類似した部分を示すアドレス情報又は時刻情報の少なくともいずれか一方と、により構成されてもよい。
【手続補正１１】
【補正対象書類名】明細書
【補正対象項目名】００３４
【補正方法】変更
【補正の内容】
【００３４】
また、上記の課題を解決するために、上記に記載のＡＶ情報検索装置において、ネットワーク上に存在するネットワーク情報のうち、前記検索キー情報に対応する当該ネットワーク情報を検索するＣＰＵ等のネットワーク検索手段を更に備えると共に、前記検索されたネットワーク情報は前記検索結果情報に含まれて前記返信手段により前記ＡＶ情報配信装置に返信されるように構成されてもよい。
【手続補正１２】
【補正対象書類名】明細書
【補正対象項目名】００３６
【補正方法】変更
【補正の内容】
【００３６】
また、上記の課題を解決するために、本発明のＡＶ情報配信装置は、上記に記載のＡＶ情報検索装置から返信された前記検索結果情報を蓄積する記憶部等のデータベース手段を備えてもよい。
【手続補正１３】
【補正対象書類名】明細書
【補正対象項目名】００３８
【補正方法】変更
【補正の内容】
【００３８】
上記の課題を解決するために、本発明は、上記データベース手段を備えるＡＶ情報配信装置において、前記検索結果情報は、前記検索キー情報と、前記検索手段によって当該検索キー情報に類似するとされた前記抽象化情報及び当該抽象化情報に対応する前記ＡＶ情報を少なくとも含むコンテンツを特定するためのコンテンツ識別データと、当該コンテンツにおける前記検索キー情報に類似した部分を示すアドレス情報又は時刻情報の少なくともいずれか一方と、により構成されていると共に、前記データベース手段は、前記検索キー情報、前記コンテンツ識別データ及び前記アドレス情報又は時刻情報の少なくともいずれか一方を相互に対応付けて蓄積するように構成されてもよい。
【手続補正１４】
【補正対象書類名】明細書
【補正対象項目名】００４０
【補正方法】変更
【補正の内容】
【００４０】
また、複数のＡＶ情報検索装置から検索キー情報とこれに対応するコンテンツ識別データ及びアドレス情報又は時刻情報の少なくともいずれか一方とが返信されてくるので、ＡＶ情報配信装置においてこれらに基づいていわゆる多数決原理によりデータベースを構築することで、より高精度のデータベースを構築することができる。
【手続補正１５】
【補正対象書類名】明細書
【補正対象項目名】００４１
【補正方法】変更
【補正の内容】
【００４１】
上記の課題を解決するために、本発明は、上記のＡＶ情報検索装置から返信された前記検索結果情報に含まれる前記検索キー情報、前記コンテンツ識別データ、前記アドレス情報又は時刻情報の少なくともいずれか一方及び前記ネットワーク情報を相互に対応付けて蓄積する記憶部等のデータベース手段を備えてもよい。
【手続補正１６】
【補正対象書類名】明細書
【補正対象項目名】００４３
【補正方法】変更
【補正の内容】
【００４３】
上記の課題を解決するために、本発明は、上記に記載のＡＶ情報配信装置において、前記データベース手段は、全ての前記検索結果情報を対象とした多数決原理により前記検索キー情報と前記コンテンツ識別データとの相関度を判断し、当該相関度の高い前記検索結果情報のみを蓄積するように構成されてもよい。
【手続補正１７】
【補正対象書類名】明細書
【補正対象項目名】００４５
【補正方法】変更
【補正の内容】
【００４５】
上記の課題を解決するために、本発明は、上記に記載のＡＶ情報配信装置における前記データベース手段内の前記ＡＶ情報を、データベース検索情報を用いて検索するＡＶ情報検索装置であって、前記データベース検索情報を入力するための入力手段と、前記入力されたデータベース検索情報を用いて前記データベース手段内を検索し、当該入力されたデータベース検索情報に対応する前記ＡＶ情報を検索する検索手段と、前記検索されたＡＶ情報を当該データベース検索情報に対応する前記ＡＶ情報として出力する出力手段と、を備えてもよい。
【手続補正１８】
【補正対象書類名】明細書
【補正対象項目名】００４７
【補正方法】変更
【補正の内容】
【００４７】
上記の課題を解決するために、本発明は、上記に記載のＡＶ情報検索装置と、上記に記載のＡＶ情報検索装置と、を備えて構成されてもよい。
【手続補正１９】
【補正対象書類名】明細書
【補正対象項目名】００４９
【補正方法】変更
【補正の内容】
【００４９】
上記の課題を解決するために、本発明は、音声情報又は映像情報の少なくともいずれか一方を含んで構成されるＡＶ情報の少なくとも一部を抽象化し、当該ＡＶ情報の内容を示す抽象化情報を生成する生成工程と、前記生成された抽象化情報を、当該抽象化情報により示される内容を有する前記ＡＶ情報と共に配信する配信工程と、を備える。
【手続補正２０】
【補正対象書類名】明細書
【補正対象項目名】００５２
【補正方法】変更
【補正の内容】
【００５２】
上記の課題を解決するために、本発明は、上記のＡＶ情報配信方法により前記抽象化情報と共に配信された前記ＡＶ情報を、検索キー情報を用いて検索するＡＶ情報検索方法であって、前記配信された抽象化情報及びＡＶ情報を取得する取得工程と、前記検索キー情報を入力するための入力工程と、前記入力された検索キー情報を抽象化し、抽象化キー情報を生成する抽象化工程と、前記生成された抽象化キー情報に類似する前記配信された抽象化情報を検索する検索工程と、を備えてもよい。
【手続補正２１】
【補正対象書類名】明細書
【補正対象項目名】００５５
【補正方法】変更
【補正の内容】
【００５５】
上記の課題を解決するために、本発明は、上記に記載のＡＶ情報検索方法において、前記検索工程において検索された前記抽象化情報に対応する前記ＡＶ情報を、前記検索キー情報に対応付けられた前記ＡＶ情報として出力する出力工程を更に備えてもよい。
【手続補正２２】
【補正対象書類名】明細書
【補正対象項目名】００５６
【補正方法】変更
【補正の内容】
【００５６】
よって、配信元で生成された精度の良い抽象化情報によりＡＶ情報を検索し、更にその検索結果の各々を配信先において使用者が容易に確認できるので、たとえ検索結果に不適切な結果が含まれたとしても、使用者の判断によりそれを除去することができる。
【手続補正２３】
【補正対象書類名】明細書
【補正対象項目名】００５７
【補正方法】変更
【補正の内容】
【００５７】
上記の課題を解決するために、本発明は、上記に記載のＡＶ情報検索方法において、前記検索工程における検索結果に基づいて生成された検索結果情報を返信する返信工程を更に備えてもよい。
【手続補正２４】
【補正対象書類名】明細書
【補正対象項目名】００５９
【補正方法】変更
【補正の内容】
【００５９】
上記の課題を解決するために、本発明は、上記に記載のＡＶ情報検索方法において、前記検索結果情報は、前記検索キー情報と、前記検索手段によって当該検索キー情報に類似するとされた前記抽象化情報及び当該抽象化情報に対応する前記ＡＶ情報を少なくとも含むコンテンツを特定するためのコンテンツ識別データと、当該コンテンツにおける前記検索キー情報に類似した部分を示すアドレス情報又は時刻情報の少なくともいずれか一方と、により構成されてもよい。
【手続補正２５】
【補正対象書類名】明細書
【補正対象項目名】００６２
【補正方法】変更
【補正の内容】
【００６２】
上記の課題を解決するために、本発明は、上記に記載のＡＶ情報検索方法において、ネットワーク上に存在するネットワーク情報のうち、前記検索キー情報に対応する当該ネットワーク情報を検索するネットワーク検索工程を更に備えると共に、前記検索されたネットワーク情報は前記検索結果情報に含まれて前記返信工程により返信されるように構成されてもよい。
【手続補正２６】
【補正対象書類名】明細書
【補正対象項目名】００６４
【補正方法】変更
【補正の内容】
【００６４】
上記の課題を解決するために、本発明は、上記に記載のＡＶ情報検索方法により返信された前記検索結果情報を蓄積するデータベース工程を備えてもよい。
【手続補正２７】
【補正対象書類名】明細書
【補正対象項目名】００６６
【補正方法】変更
【補正の内容】
【００６６】
上記の課題を解決するために、本発明は、上記に記載のＡＶ情報配信方法において、前記検索結果情報は、前記検索キー情報と、前記検索手段によって当該検索キー情報に類似するとされた前記抽象化情報及び当該抽象化情報に対応する前記ＡＶ情報を少なくとも含むコンテンツを特定するためのコンテンツ識別データと、当該コンテンツにおける当該検索キー情報に類似した部分を示すアドレス情報又は時刻情報の少なくともいずれか一方と、により構成されていると共に、前記データベース工程においては、前記検索キー情報、前記コンテンツ識別データ及び前記アドレス情報又は時刻情報の少なくともいずれか一方を相互に対応付けて蓄積するように構成されてもよい。
【手続補正２８】
【補正対象書類名】明細書
【補正対象項目名】００６８
【補正方法】変更
【補正の内容】
【００６８】
また、複数のＡＶ情報検索装置から検索キー情報とこれに対応するコンテンツ識別データ及びアドレス情報又は時刻情報の少なくともいずれか一方とが返信されてくるので、ＡＶ情報配信装置においてこれらに基づいていわゆる多数決原理によりデータベースを構築することで、より高精度のデータベースを構築することができる。
【手続補正２９】
【補正対象書類名】明細書
【補正対象項目名】００６９
【補正方法】変更
【補正の内容】
【００６９】
上記の課題を解決するために、本発明は、上記に記載のＡＶ情報検索方法により返信された前記検索結果情報に含まれる前記検索キー情報、前記コンテンツ識別データ、前記アドレス情報又は時刻情報の少なくともいずれか一方及び前記ネットワーク情報を相互に対応付けて蓄積するデータベース工程を備えてもよい。
【手続補正３０】
【補正対象書類名】明細書
【補正対象項目名】００７１
【補正方法】変更
【補正の内容】
【００７１】
上記の課題を解決するために、本発明は、上記に記載のＡＶ情報配信方法において、前記データベース工程においては、全ての前記検索結果情報を対象とした多数決原理により前記検索キー情報と前記コンテンツ識別データとの相関度を判断し、当該相関度の高い前記検索結果情報のみを蓄積する用に構成されてもよい。
【手続補正３１】
【補正対象書類名】明細書
【補正対象項目名】００７３
【補正方法】変更
【補正の内容】
【００７３】
上記の課題を解決するために、本発明は、上記に記載のＡＶ情報配信方法において蓄積された前記ＡＶ情報を、データベース検索情報を用いて検索するＡＶ情報検索方法であって、前記データベース検索情報を入力するための入力工程と、前記入力されたデータベース検索情報を用いて前記データベース内を検索し、当該入力されたデータベース検索情報に対応する前記ＡＶ情報を検索する検索工程と、前記検索されたＡＶ情報を当該データベース検索情報に対応する前記ＡＶ情報として出力する出力工程と、を備えてもよい。
【手続補正３２】
【補正対象書類名】明細書
【補正対象項目名】００７５
【補正方法】変更
【補正の内容】
【００７５】
上記の課題を解決するために、本発明は、音声情報又は映像情報の少なくともいずれか一方を含んで構成されるＡＶ情報を蓄積するコンテンツ記憶部等の蓄積手段を含むＡＶ情報配信装置に含まれる配信コンピュータを、前記ＡＶ情報各々を抽象化し、当該各ＡＶ情報の内容を示す抽象化情報を生成する生成手段、及び、前記生成された抽象化情報を、当該抽象化情報により示される内容を有する前記ＡＶ情報と共に配信する配信手段、として機能させるためのＡＶ情報配信プログラムが前記配信コンピュータで読取可能に記録されている。
【手続補正３３】
【補正対象書類名】明細書
【補正対象項目名】００７８
【補正方法】変更
【補正の内容】
【００７８】
上記の課題を解決するために、本発明は、上記に記載のＡＶ情報配信装置により前記抽象化情報と共に配信された前記ＡＶ情報を、検索キー情報を用いて検索するＡＶ情報検索装置に含まれる検索コンピュータを、前記配信された抽象化情報及びＡＶ情報を取得する取得手段、前記検索キー情報を入力するための入力手段、前記入力された検索キー情報を抽象化し、抽象化キー情報を生成する抽象化手段、及び、前記生成された抽象化キー情報に類似する前記配信された抽象化情報を検索する検索手段、として機能させるためのＡＶ情報検索プログラムが前記検索コンピュータで読取可能に記録されていてもよい。
【手続補正３４】
【補正対象書類名】明細書
【補正対象項目名】００８１
【補正方法】変更
【補正の内容】
【００８１】
上記の課題を解決するために、本発明は、上記に記載の情報記録媒体において、前記検索コンピュータを、前記検索手段として機能する当該検索コンピュータにより検索された前記抽象化情報に対応する前記ＡＶ情報を、前記検索キー情報に対応付けられた前記ＡＶ情報として出力する出力手段として更に機能させるための前記ＡＶ情報検索プログラムが前記検索コンピュータで読取可能に記録されていてもよい。
【手続補正３５】
【補正対象書類名】明細書
【補正対象項目名】００８２
【補正方法】変更
【補正の内容】
【００８２】
よって、配信元で生成された精度の良い抽象化情報によりＡＶ情報を検索し、更にその検索結果の各々を配信先において使用者が容易に確認できるので、たとえ検索結果に不適切な結果が含まれたとしても、使用者の判断によりそれを除去することができる。
【手続補正３６】
【補正対象書類名】明細書
【補正対象項目名】００８３
【補正方法】変更
【補正の内容】
【００８３】
上記の課題を解決するために、本発明は、上記に記載の情報記録媒体において、前記検索コンピュータを、前記検索手段として機能する当該検索コンピュータにおける検索結果に基づいて生成された検索結果情報を、前記ＡＶ情報配信装置に返信する返信手段として更に機能させるための前記ＡＶ情報検索プログラムが前記検索コンピュータで読取可能に記録されていてもよい。
【手続補正３７】
【補正対象書類名】明細書
【補正対象項目名】００８５
【補正方法】変更
【補正の内容】
【００８５】
上記の課題を解決するために、本発明は、上記に記載の情報記録媒体において、前記検索結果情報は、前記検索キー情報と、前記検索手段として機能する前記検索コンピュータによって当該検索キー情報に類似するとされた前記抽象化情報及び当該抽象化情報に対応する前記ＡＶ情報を少なくとも含むコンテンツを特定するためのコンテンツ識別データと、当該コンテンツにおける前記検索キー情報に類似した部分を示すアドレス情報又は時刻情報の少なくともいずれか一方と、により構成されている前記ＡＶ情報検索プログラムが前記検索コンピュータで読取可能に記録されていてもよい。
【手続補正３８】
【補正対象書類名】明細書
【補正対象項目名】００８８
【補正方法】変更
【補正の内容】
【００８８】
上記の課題を解決するために、本発明は、上記に記載の情報記録媒体において、前記検索コンピュータを、ネットワーク上に存在するネットワーク情報のうち、前記検索キー情報に対応する当該ネットワーク情報を検索するネットワーク検索手段として更に機能させると共に、前記検索されたネットワーク情報は前記検索結果情報に含まれて前記返信手段として機能する前記検索コンピュータにより前記ＡＶ情報配信装置に返信されるための前記ＡＶ情報検索プログラムが前記検索コンピュータで読取可能に記録されていてもよい。
【手続補正３９】
【補正対象書類名】明細書
【補正対象項目名】００９０
【補正方法】変更
【補正の内容】
【００９０】
上記の課題を解決するために、本発明は、前記配信コンピュータを、上記に記載のＡＶ情報検索装置から返信された前記検索結果情報を蓄積するデータベース手段として機能させるための前記ＡＶ情報配信プログラムが前記配信コンピュータで読取可能に記録されている。
【手続補正４０】
【補正対象書類名】明細書
【補正対象項目名】００９２
【補正方法】変更
【補正の内容】
【００９２】
上記の課題を解決するために、本発明は、上記に記載の情報記録媒体において、前記検索結果情報は、前記検索キー情報と、前記検索手段によって当該検索キー情報に類似するとされた前記抽象化情報及び当該抽象化情報に対応する前記ＡＶ情報を少なくとも含むコンテンツを特定するためのコンテンツ識別データと、当該コンテンツにおける当該検索キー情報に類似した部分を示すアドレス情報又は時刻情報の少なくともいずれか一方と、により構成されていると共に、前記データベース手段として機能する前記配信コンピュータを、前記検索キー情報、前記コンテンツ識別データ及び前記アドレス情報又は時刻情報の少なくともいずれか一方を相互に対応付けて蓄積するように機能させるための前記ＡＶ情報配信プログラムが前記配信コンピュータで読取可能に記録されていてもよい。
【手続補正４１】
【補正対象書類名】明細書
【補正対象項目名】００９４
【補正方法】変更
【補正の内容】
【００９４】
また、複数のＡＶ情報検索装置から検索キー情報とこれに対応するコンテンツ識別データ及びアドレス情報又は時刻情報の少なくともいずれか一方とが返信されてくるので、ＡＶ情報配信装置においてこれらに基づいていわゆる多数決原理によりデータベースを構築することで、より高精度のデータベースを構築することができる。
【手続補正４２】
【補正対象書類名】明細書
【補正対象項目名】００９５
【補正方法】変更
【補正の内容】
【００９５】
上記の課題を解決するために、本発明は、前記配信コンピュータを、上記に記載のＡＶ情報検索装置から返信された前記検索結果情報に含まれる前記検索キー情報、前記コンテンツ識別データ、前記アドレス情報又は時刻情報の少なくともいずれか一方及び前記ネットワーク情報を相互に対応付けて蓄積するデータベース手段として機能させるための前記ＡＶ情報配信プログラムが前記配信コンピュータで読取可能に記録されている。
【手続補正４３】
【補正対象書類名】明細書
【補正対象項目名】００９７
【補正方法】変更
【補正の内容】
【００９７】
上記の課題を解決するために、本発明は、上記に記載の情報記録媒体において、前記データベース手段として機能する前記配信コンピュータを、全ての前記検索結果情報を対象とした多数決原理により前記検索キー情報と前記コンテンツ識別データとの相関度を判断し、当該相関度の高い前記検索結果情報のみを蓄積するように機能させるための前記ＡＶ情報配信プログラムが前記配信コンピュータで読取可能に記録されている。
【手続補正４４】
【補正対象書類名】明細書
【補正対象項目名】００９９
【補正方法】変更
【補正の内容】
【００９９】
上記の課題を解決するために、本発明は、上記に記載のＡＶ情報配信装置において蓄積された前記ＡＶ情報を、データベース検索情報を用いて検索するＡＶ情報検索装置における検索コンピュータを、前記データベース検索情報を入力するための入力手段、前記入力されたデータベース検索情報を用いて前記データベース内を検索し、当該入力されたデータベース検索情報に対応する前記ＡＶ情報を検索する検索手段、及び、前記検索されたＡＶ情報を当該データベース検索情報に対応する前記ＡＶ情報として出力する出力手段、として機能させるためのＡＶ情報検索プログラムが前記検索コンピュータで読取可能に記録されている。
【手続補正４５】
【補正対象書類名】明細書
【補正対象項目名】０２１３
【補正方法】変更
【補正の内容】
【０２１３】
【発明の効果】以上説明したように、本発明によれば、配信先において抽象化情報を用いて配信されたＡＶ情報を検索することで、配信元で生成された精度の良い抽象化情報によりＡＶ情報を検索することができるので、全ての配信先において同一条件で高精度のＡＶ情報検索を行うことができる。
【手続補正４６】
【補正対象書類名】明細書
【補正対象項目名】０２１４
【補正方法】削除
【補正の内容】
【手続補正４７】
【補正対象書類名】明細書
【補正対象項目名】０２１５
【補正方法】削除
【補正の内容】
【手続補正４８】
【補正対象書類名】明細書
【補正対象項目名】０２１６
【補正方法】削除
【補正の内容】
【手続補正４９】
【補正対象書類名】明細書
【補正対象項目名】０２１７
【補正方法】削除
【補正の内容】
【手続補正５０】
【補正対象書類名】明細書
【補正対象項目名】０２１８
【補正方法】削除
【補正の内容】
【手続補正５１】
【補正対象書類名】明細書
【補正対象項目名】０２１９
【補正方法】削除
【補正の内容】
【手続補正５２】
【補正対象書類名】明細書
【補正対象項目名】０２２０
【補正方法】削除
【補正の内容】
【手続補正５３】
【補正対象書類名】明細書
【補正対象項目名】０２２１
【補正方法】削除
【補正の内容】
【手続補正５４】
【補正対象書類名】明細書
【補正対象項目名】０２２２
【補正方法】削除
【補正の内容】
【手続補正５５】
【補正対象書類名】明細書
【補正対象項目名】０２２３
【補正方法】削除
【補正の内容】
【手続補正５６】
【補正対象書類名】明細書
【補正対象項目名】０２２４
【補正方法】削除
【補正の内容】
【手続補正５７】
【補正対象書類名】明細書
【補正対象項目名】０２２５
【補正方法】削除
【補正の内容】
【手続補正５８】
【補正対象書類名】明細書
【補正対象項目名】０２２６
【補正方法】削除
【補正の内容】
【手続補正５９】
【補正対象書類名】明細書
【補正対象項目名】０２２７
【補正方法】削除
【補正の内容】
【手続補正６０】
【補正対象書類名】明細書
【補正対象項目名】０２２８
【補正方法】削除
【補正の内容】
【手続補正６１】
【補正対象書類名】明細書
【補正対象項目名】０２２９
【補正方法】削除
【補正の内容】
【手続補正６２】
【補正対象書類名】明細書
【補正対象項目名】０２３０
【補正方法】削除
【補正の内容】
【手続補正６３】
【補正対象書類名】明細書
【補正対象項目名】０２３１
【補正方法】削除
【補正の内容】
【手続補正６４】
【補正対象書類名】明細書
【補正対象項目名】０２３２
【補正方法】削除
【補正の内容】
【手続補正６５】
【補正対象書類名】明細書
【補正対象項目名】０２３３
【補正方法】削除
【補正の内容】
【手続補正６６】
【補正対象書類名】明細書
【補正対象項目名】０２３４
【補正方法】削除
【補正の内容】
【手続補正６７】
【補正対象書類名】明細書
【補正対象項目名】０２３５
【補正方法】削除
【補正の内容】
【手続補正６８】
【補正対象書類名】明細書
【補正対象項目名】０２３６
【補正方法】削除
【補正の内容】
【手続補正６９】
【補正対象書類名】明細書
【補正対象項目名】０２３７
【補正方法】削除
【補正の内容】
【手続補正７０】
【補正対象書類名】明細書
【補正対象項目名】０２３８
【補正方法】削除
【補正の内容】
【手続補正７１】
【補正対象書類名】明細書
【補正対象項目名】０２３９
【補正方法】削除
【補正の内容】
【手続補正７２】
【補正対象書類名】明細書
【補正対象項目名】０２４０
【補正方法】削除
【補正の内容】
【手続補正７３】
【補正対象書類名】明細書
【補正対象項目名】０２４１
【補正方法】削除
【補正の内容】
【手続補正７４】
【補正対象書類名】明細書
【補正対象項目名】０２４２
【補正方法】削除
【補正の内容】
【手続補正７５】
【補正対象書類名】明細書
【補正対象項目名】０２４３
【補正方法】削除
【補正の内容】
【手続補正７６】
【補正対象書類名】明細書
【補正対象項目名】０２４４
【補正方法】削除
【補正の内容】
【手続補正７７】
【補正対象書類名】明細書
【補正対象項目名】０２４５
【補正方法】削除
【補正の内容】
【手続補正７８】
【補正対象書類名】明細書
【補正対象項目名】０２４６
【補正方法】削除
【補正の内容】
【手続補正７９】
【補正対象書類名】明細書
【補正対象項目名】０２４７
【補正方法】削除
【補正の内容】
【手続補正８０】
【補正対象書類名】明細書
【補正対象項目名】０２４８
【補正方法】削除
【補正の内容】
【手続補正８１】
【補正対象書類名】明細書
【補正対象項目名】０２４９
【補正方法】削除
【補正の内容】
【手続補正８２】
【補正対象書類名】明細書
【補正対象項目名】０２５０
【補正方法】削除
【補正の内容】
【手続補正８３】
【補正対象書類名】明細書
【補正対象項目名】０２５１
【補正方法】削除
【補正の内容】
【手続補正８４】
【補正対象書類名】明細書
【補正対象項目名】０２５２
【補正方法】削除
【補正の内容】
【手続補正８５】
【補正対象書類名】明細書
【補正対象項目名】０２５３
【補正方法】削除
【補正の内容】
【手続補正８６】
【補正対象書類名】明細書
【補正対象項目名】０２５４
【補正方法】削除
【補正の内容】
【手続補正８７】
【補正対象書類名】明細書
【補正対象項目名】０２５５
【補正方法】削除
【補正の内容】
【手続補正８８】
【補正対象書類名】明細書
【補正対象項目名】０２５６
【補正方法】削除
【補正の内容】
【手続補正８９】
【補正対象書類名】明細書
【補正対象項目名】０２５７
【補正方法】削除
【補正の内容】
【手続補正９０】
【補正対象書類名】明細書
【補正対象項目名】０２５８
【補正方法】削除
【補正の内容】
【手続補正９１】
【補正対象書類名】明細書
【補正対象項目名】０２５９
【補正方法】削除
【補正の内容】
【手続補正９２】
【補正対象書類名】明細書
【補正対象項目名】０２６０
【補正方法】削除
【補正の内容】
【手続補正９３】
【補正対象書類名】明細書
【補正対象項目名】０２６１
【補正方法】削除
【補正の内容】
【手続補正９４】
【補正対象書類名】明細書
【補正対象項目名】０２６２
【補正方法】削除
【補正の内容】
【手続補正９５】
【補正対象書類名】明細書
【補正対象項目名】０２６３
【補正方法】削除
【補正の内容】
【手続補正９６】
【補正対象書類名】明細書
【補正対象項目名】０２６４
【補正方法】削除
【補正の内容】